(57)【特許請求の範囲】
【請求項１】
揺動自在に支持され、その先端部で試験片の異なる標点を別々に挟持する２本の計測レバーを備え、これら計測レバー間の相対距離の変化から標点間距離を検出するレバー式伸び計であって、前記計測レバーの先端部には左右一組の試験片挟持用クリッパが取り付けられ、左右一組のうちの一方のクリッパは中心軸が試験片の長手方向と平行な円筒面の少なくとも一部を試験片に対する当接面としてもち、他方のクリッパは試験片の長手方向と平行な回転軸の回りに回転自在であって中心軸が試験片の長手方向と垂直な円筒面の少なくとも一部を試験片に対する当接面としてもつことを特徴とするレバー式伸び計。
【発明の詳細な説明】
【０００１】
【産業上の利用分野】
本発明は、試験片に設けられた２個所の標点をそれぞれレバーで挟持し、試験片の伸びに伴うこれらレバー間の距離の変化を計測することによって、試験片の伸び量を検出するレバー式伸び計に関する。
【０００２】
【従来の技術】
従来、レバー式伸び計は、上下一対の揺動可能な計測レバーを備え、この一対の計測レバーの相対変位を検出し、試験片の伸びを検出する。図３に示したレバー式伸び計について説明すると、レバー１０１，１０２は、ピン１０３，１０４を介して、固定ブロック１０５，１０６に対し傾動可能に軸支されている。
【０００３】
固定ブロック１０５，１０６は送りねじ１０７，１０８に螺合されており、この送りねじ１０７，１０８を回転させるモータ１０９，１１０の駆動によって、レバー１０１，１０２を上昇若しくは下降させるとともに、モータ１０９，１１０の回転量をエンコーダ１１１，１１２によって検出しコンピュータ１１３に入力することで、レバー１０１，１０２の移動量を得ている。
【０００４】
またレバー１０１，１０２は、それぞれレバー１０１，１０２に設けられた可動子１１４Ａ，１１５Ａと、固定ブロック側に設けられた固定子１１４Ｂ，１１５Ｂとから構成される傾き検出器１１４，１１５を備え、この傾き検出器１１４１１５で検出した信号によって、レバー１０１，１０２が常に水平となるようにモータ１０９，１１０を駆動制御し、上記したようにエンコーダ１１１，１１２で固定ブロック１０５，１０６のそれぞれの変位量を検出することによって、レバー１０１，１０２の相対的変位量が計測される。
【０００５】
そして、レバー１０１，１０２の先端には、両者とも、図４で示すように、ピン１１７Ａ，１１８Ａを介して水平方向に回動自在に、アーム１１７，１１８が設けられるとともに、これらアーム１１７，１１８は閉じる方向（試験片の挟持方向）にバネ１１６で付勢されている。また、アーム１１７，１１８には、試験片挟持用クリッパ１１９，１２０がピン１２１，１２２を介して固定されているクリッパ１１９，１２０については、試験片ＴＰに装着された状態において、一方のクリッパ１１９は、試験片ＴＰの長手方向と平行に中心軸を持つ円筒状の試験片挟持面を有するとともに、他方のクリッパ１２０は、試験片ＴＰの長手方向と平行に中心軸を持つそろばん玉状で所定の鋭角を有する試験片挟持面を有しており、これら挟持面によって試験片ＴＰを挟持する。
【０００６】
このようなクリッパ１１９，１２０を介して、レバー式伸び計が装着された試験片ＴＰに引張荷重を与えると、試験片ＴＰの伸びに応じてレバー１０１，１０２が揺動するが、上記したように、レバー１０１，１０２が水平に維持されるようモータ１０９，１１０を駆動制御して固定ブロック１０５，１０６を移動し、この相対的変位量を求めることで試験片ＴＰの伸び量が検出される。
【０００７】
ところで、クリッパ１１９，１２０と試験片ＴＰとの接触について、図５に示すように、クリッパ１１９と試験片ＴＰとは円筒面と平面との関係があり、破線Ｌで滑らかに線接触しているが、クリッパ１２０と試験片ＴＰとは円周と平面との関係で黒点Ｍで鋭角的に接触している。
【０００８】
したがって、柔らかい材料、例えばフィルム状試験片やゴム状試験片の場合には、そろばん玉状のクリッパ１２０が試験片に傷を付けたり、試験片ＴＰを破断させたりすることがある。
【０００９】
【発明が解決しようとする課題】
本発明は、上記した問題点を解決するために創案されたもので、その目的は、レバー式伸び計において、フィルムやゴム等の柔らかい材料の試験片に対しても傷を付けたり、破断させたりすることなく、伸び計のレバーを確実に装着することである。
【００１０】
【課題を解決するための手段】
揺動自在に支持され、その先端部で試験片の異なる標点を別々に挟持する２本の計測レバーを備え、これら計測レバー間の相対距離の変化から標点間距離を検出するレバー式伸び計であって、前記計測レバーの先端部には左右一組の試験片挟持用クリッパが取り付けられ、左右一組のうちの一方のクリッパは中心軸が試験片の長手方向と平行な円筒面の少なくとも一部を試験片に対する当接面としてもち、他方のクリッパは試験片の長手方向と平行な回転軸の回りに回転自在であって中心軸が試験片の長手方向と垂直な円筒面の少なくとも一部を試験片に対する当接面としてもつことを特徴とする。
【００１１】
【作用】
一対の挟持面間に試験片を挟持する際、試験片の長手方向と平行な中心軸の円筒外周部分と、この中心軸に垂直な中心軸の円筒外周部分とが、両者とも試験片と線接触するので、試験片に傷を付ける事なく、かつ、互いに中心軸の垂直な円筒面で線接触することから、これら線接触の交点部分で試験片を確実に挟持することができる。
【００１２】
【実施例】
図１及び図２により本発明の一実施例を説明する。
【００１３】
図１は、本発明の実施例であるレバー式伸び計の試験片挟持部周辺の概略構成を示す図である。本発明において、アーム１，２の先端以外の構成は、従来と同様の構成であるので、図３を用いて説明する。
【００１４】
レバー１０１，１０２（図３）の両方とも、それぞれの先端に、ピン１Ａ，２Ａを介して水平方向に回動可能にアーム１，２が設けられ、これらアーム１，２が開閉自在に設けられると共に、閉じる方向（試験片の挟持方向）にバネ３で付勢されている。またアーム１，２の先端には、試験片挟持用クリッパ４，５が設けられている。
【００１５】
このクリッパ４，５について、クリッパ４は円筒であって、アーム１に対し、中心軸が試験片ＴＰの長手方向と平行に、ピン６を介して取り付けられる。なおクリッパ４はピン６に対し固定されていても、回転可能でもよく、また試験片挟持面が少なくとも円筒形状であればよい。
【００１６】
またクリッパ５は、アーム２に対し、ピン７を介して取り付けられるが、少なくとも試験片ＴＰの挟持面が、アーム２に取り付けられた状態において、前記クリッパ４の中心軸と垂直な中心軸の円筒面の少なくとも一部を有するものであればよく、ここでは方形状の部材で、一面を曲面にしたものを使用する。
【００１７】
次に、伸び計の試験片への装着動作を図３を用いて説明すると、コンピュータ１１３からの指令によって予めレバー１０１，１０２を所定の標点間距離に設定しておく。
【００１８】
そして、アーム１，２を開いた状態で、試験片ＴＰの所定の部分へクリッパ４５を近づけた後、アーム１，２を閉じてクリッパ４，５で試験片ＴＰを挟持するこのような挟持作業をレバー１０１，１０２の両方に対して行う。
【００１９】
このようにして、両クリッパ４，５で試験片ＴＰを挟持したとき、クリッパ４５と試験片ＴＰとの接触については、図２に示すように、クリッパ４と試験片ＴＰとは破線Ｈで示すように円筒面と平面の関係で滑らかに線接触し、クリッパ２と試験片ＴＰの方も２点鎖線Ｋで示すように円筒面と平面の関係で滑らかに線接触しており、これら２本Ｈ，Ｋの線の交点が標点となって、試験片ＴＰを挟持する。
【００２０】
なお、クリッパ５の方は、ピン７を中心に回転可能に軸支したので、たとえ試験片挟持面がクリッパ４，５間で平行でなく、多少傾いていても、クリッパ５の試験片挟持面が常に試験片ＴＰへ接触し、クリッパ４，５間で確実に試験片ＴＰを挟持することができる。
【００２１】
このようにして、試験片ＴＰにレバー式伸び計を装着した後、試験片ＴＰに引張荷重を与えると、試験片ＴＰの伸びに応じてレバー１０１，１０２が揺動しようとするが、上記したように、レバー１０１，１０２が水平に維持されるようモータ１０９，１１０を駆動制御して固定ブロック１０５，１０６を移動し、この相対的変位量を求めることで試験片ＴＰの伸び量が検出される。
【００２２】
【発明の効果】
本発明装置は、一対のクリッパによって挟持面間に試験片を挟持する際、試験片の長手方向と平行な中心軸の円筒部分と、試験片の長手方向と垂直な中心軸の円筒部分とが、試験片を挟持するので、ゴム等の柔らかい材料の試験片に対しても傷を付けたり、破断したりする事なく、レバー式伸び計を試験片に装着することができる。またクリッパは試験片長手方向と平行な回転軸の回りに回転自在なので、上述の円筒形の当接面は試験片の面に自然になじんで試験片を押さえることができる。
【図面の簡単な説明】
【図１】本発明の一実施例であるレバー式伸び計の試験片挟持部の概略構成を示す図である。
【図２】本発明のクリッパと試験片の接触状態を示す図である。
【図３】レバー式伸び計の概略構成を示す図である。
【図４】従来のレバー式伸び計の試験片挟持部の概略構成を示す図である。
【図５】従来のクリッパと試験片の接触状態を示す図である。
【符号の説明】
１，２・・・・・アーム
３，・・・・・・バネ
４，５・・・・（試験片挟持用）クリッパ
ＴＰ・・・・・・試験片
【図１】
0003550795.tif 000002
【図２】
0003550795.tif 000003
【図３】
0003550795.tif 000004
【図４】
0003550795.tif 000005
【図５】
0003550795.tif 000006